(57)【要約】  ハウジング（８）を含む、器具ディスペンサ（１０）。分配シャーシ（１８）は、ハウジング（３８）内でフィットするように構成され得る。少なくとも１つのポスト又はピン（１８２、１８６）は、分配シャーシ（１８）の外表面上に配置され得、少なくとも１つの滑動機構（１８０）は、ハウジング（３８）内に配置され得る。滑動機構（１８０）は、分配シャーシポスト又はピン（１８２、１８６）に係着するように構成されている。滑動機構（１８０）は、分配シャーシ（１８）がハウジング（３８）から器具（２０）を分配するように構成されている、分配する位置と、分配シャーシ（１８）が器具（２０）を装填されるように構成されている、装填する位置と、の間で分配シャーシ（１８）をガイドするように構成されている、スロット（１８８、１９０）を含み得る。
2021511929.tif 000002
【特許請求の範囲】
【請求項１】
複数の器具を分配するための器具ディスペンサであって、
ハウジングと、
前記ハウジング内でフィットするように構成されている、分配シャーシと、
前記分配シャーシの外表面上に配置された少なくとも１つのポストと、
前記ハウジング内に配置されており、かつ前記ハウジング内の前記分配シャーシポストに係着するように構成されている、少なくとも１つの滑動機構であって、前記滑動機構が、前記分配シャーシが前記ハウジングから器具を分配するように構成されている、分配する位置と、前記分配シャーシが器具を装填されるように構成されている、装填する位置と、の間で、前記分配シャーシをガイドするように構成されている、スロットを備える、少なくとも１つの滑動機構と、を備える、器具ディスペンサ。
【請求項２】
前記スロットが、前記ポストを受容するように構成されている開口部を備え、前記開口部を通じて前記スロットから前記ポストを取り出すことにより、前記滑動機構から前記分配シャーシを分離する、請求項１に記載の器具ディスペンサ。
【請求項３】
前記分配シャーシが前記分配する位置と前記装填する位置との間にあるとき、前記ポストが前記スロットから取り出されるだけであり得るように、前記開口部が前記スロットに配置されている、請求項２に記載の器具ディスペンサ。
【請求項４】
前記分配シャーシが、第１及び第２のポストを備え、前記滑動機構が、第１及び第２のスロットを備え、前記第１のスロットが、前記第１のポストに係着するように構成されており、前記第２のスロットが、前記第２のポストに係着するように構成されている、請求項１に記載の器具ディスペンサ。
【請求項５】
前記第１及び第２のスロットが、前記第１及び第２のポストに係着するように構成されている、請求項４に記載の器具ディスペンサ。
【請求項６】
前記第１のスロットが、第１のスロット開口部を備え、前記第２のスロットが、第２のスロット開口部を備え、前記第１のスロット開口部及び前記第２のスロット開口部が、前記第２のスロット開口部を通じて前記第２のスロットから前記第２のポストを取り出すのと同時に、前記第１のスロット開口部を通じて前記第１のスロットから前記第１のポストを取り出すことができないように構成されている、請求項４に記載の器具ディスペンサ。
【請求項７】
前記スロットが、第１の端部と、第２の端部と、クラウンと、を備え、前記クラウンが、前記スロットの前記第１の端部又は前記第２の端部のいずれかに向かって前記ポストを偏倚させるように構成されている、請求項１に記載の器具ディスペンサ。
【請求項８】
前記スロットクラウンが、前記分配する位置で前記分配シャーシを保持するように構成されている、請求項７に記載の器具ディスペンサ。
【請求項９】
前記スロットクラウンが、前記装填する位置で前記分配シャーシを保持するように構成されている、請求項７に記載の器具ディスペンサ。
【請求項１０】
前記第２のスロットが、第１の端部と、第２の端部と、クラウンと、を備え、前記クラウンが、前記第２のスロットの前記第１の端部又は前記第２のスロットの前記第２の端部に向かって前記第２のポストを偏倚させるように構成されている、請求項４に記載の器具ディスペンサ。
【請求項１１】
前記第２のスロットの前記クラウンが、前記分配する位置で前記分配シャーシを保持するように構成されている、請求項１０に記載の器具ディスペンサ。
【請求項１２】
前記第２のスロットの前記クラウンが、前記装填する位置で前記分配シャーシを保持するように構成されている、請求項１０に記載の器具ディスペンサ。
【請求項１３】
複数の器具を分配するための器具ディスペンサであって、
ハウジングと、
前記ハウジング内でフィットするように構成されている、分配シャーシと、
前記分配シャーシの外表面上に配置された第１及び第２のポストと、
前記ハウジング内に配置されており、かつ前記ハウジング内の前記第１及び第２のポストに係着するように構成されている、少なくとも１つの滑動機構と、を備え、前記滑動機構が、
第１のスロット第１の端部と、第１のスロット第２の端部と、第１のスロットクラウンと、を備える、第１のスロットであって、前記第１のスロットが、前記第１のポストに係着するように構成されており、前記第１のスロットクラウンが、前記第１のスロット第１の端部又は前記第１のスロット第２の端部のいずれかに向かって前記第１のポストを偏倚させるように構成されている、第１のスロットと、
第２のスロット第１の端部と、第２のスロット第２の端部と、第２のスロットクラウンと、を備える、第２のスロットであって、前記第２のスロットが、前記第２のポストに係着するように構成されており、前記第２のスロットクラウンが、前記第２のスロット第１の端部又は前記第２のスロット第２の端部のいずれかに向かって前記第２のポストを偏倚させるように構成されている、第２のスロットと、を備え、
前記第１及び第２のスロットが、前記分配シャーシが前記ハウジングから器具を分配するように構成されている、分配する位置と、前記分配シャーシが器具を装填されるように構成されている、装填する位置と、の間で前記分配シャーシをガイドするように構成されている、器具ディスペンサ。
【請求項１４】
前記第１及び第２のスロットクラウンが、前記分配する位置で前記分配シャーシを保持するように構成されている、請求項１３に記載の器具ディスペンサ。
【請求項１５】
前記第１及び第２のスロットクラウンが、前記装填する位置で前記分配シャーシを保持するように構成されている、請求項１３に記載の器具ディスペンサ。
【請求項１６】
前記第１のスロットが、第１のスロット開口部を備え、前記第２のスロットが、第２のスロット開口部を備え、前記第１のスロット開口部を通じて前記第１のスロットから前記第１のポストを取り出すこと、及び前記第２のスロット開口部を通じて前記第２のスロットから前記第２のポストを取り出すことにより、前記滑動機構から前記分配シャーシを分離する、請求項１３に記載の器具ディスペンサ。
【請求項１７】
前記分配シャーシが前記分配する位置と前記装填する位置との間にあるとき、前記第１のポストが前記第１のスロットから取り出されるだけであり得るように、前記第１のスロット開口部が前記第１のスロットに配置されている、請求項１６に記載の器具ディスペンサ。
【請求項１８】
前記第１のスロット開口部及び前記第２のスロット開口部が、前記第２のスロット開口部を通じて前記第２のスロットから前記第２のポストを取り出すのと同時に、前記第１のスロット開口部を通じて前記第１のスロットから前記第１のポストを取り出すことができないように構成されている、請求項１７に記載の器具ディスペンサ。
【請求項１９】
前記第１及び第２のスロットが、前記第１及び第２のポストに係着するように構成されている、請求項１３に記載の器具ディスペンサ。
【請求項２０】
少なくとも２つの器具を分配するように構成された器具ディスペンサであって、
少なくとも２つの分配シャーシを備え、各分配シャーシが、
前記器具のスタックを中に収容するように構成されたハウジングであって、前記器具の前記スタックが、次の器具に加えて少なくとも１つの器具を備える、ハウジングと、
前記ハウジング内に配置された少なくとも１つの概ね垂直なサポートレールであって、前記概ね垂直なサポートレールが、各器具の第１の部分を受容するように構成されており、前記第１の部分が、前記器具の前記スタックをスタックされた配向に維持するように、各器具から外側に延在する、輪郭形成された突出部を有する、少なくとも１つの概ね垂直なサポートレールと、
前記ハウジングの内側に、かつ前記概ね垂直なサポートレールの下に配置された前方台座であって、前記次の器具の前記第１の部分に接触するように構成されている、前方台座と、
前記ハウジングの内側に配置されており、かつ前記次の器具の第２の部分に接触するように構成されている、後方台座と、
前記次の器具に接触するように構成されている、駆動機構と、
前記ハウジングに開口部を提供する、アクセスポートと、
前記駆動機構に動作可能に接続されており、かつ前記駆動機構が前記器具の前記スタックでの前記次の器具に接触して、前記次の器具を押して、前記次の器具を前記器具の前記スタックから解放させて、解放された器具になるように、前記駆動機構を解放位置へ移動させるように構成されている、アクチュエータであって、前記解放された器具が、分配位置に落下し、かつ前記分配位置で前記ディスペンサから取り出すための前記アクセスポートを介してアクセス可能である、アクチュエータと、
少なくとも部分的に前記ハウジング内に配置されており、かつ前記アクチュエータに動作可能に接続されて、前記解放位置から保持する位置まで前記駆動機構を戻す、ラチェットギア組立体と、
前記分配シャーシの外表面上に配置された少なくとも１つのポストと、
前記ハウジング内に配置されており、かつ前記ハウジング内の前記ポストに係着するように構成されている、少なくとも１つの滑動機構であって、前記滑動機構が、前記分配シャーシが前記ハウジングから器具を分配するように構成されている、分配する位置と、前記分配シャーシが器具を装填されるように構成されている、装填する位置と、の間で、前記分配シャーシをガイドするように構成されている、スロットを備える、少なくとも１つの滑動機構と、を備える、器具ディスペンサ。
【発明の詳細な説明】
【技術分野】
【０００１】
（関連出願の相互参照）
本出願は、その全体が参照により本明細書に組み込まれる、「ＵＴＥＮＳＩＬ  ＤＩＳＰＥＮＳＥＲＳ  ＷＩＴＨ  ＧＬＩＤＥ  ＭＥＣＨＡＮＩＳＭ  ＦＯＲ  ＬＯＡＤＩＮＧ」と題する２０１８年１２月２０日出願の米国非仮出願第１６／２２６，８６３号、及び「ＵＴＥＮＳＩＬ  ＤＩＳＰＥＮＳＥＲＳ  ＷＩＴＨ  ＧＬＩＤＥ  ＭＥＣＨＡＮＩＳＭ  ＦＯＲ  ＬＯＡＤＩＮＧ」と題する２０１８年１月２４日出願の米国仮出願第６２／６２１，５０９号の優先権を主張する。
【０００２】
（発明の分野）
説明される実施形態は、一般的に、器具ディスペンサ並びに器具ディスペンサを製造及び使用するための方法に関する。より具体的には、説明される実施形態は、装填のための滑動機構を有する器具ディスペンサ並びに器具ディスペンサを製造及び使用するための方法に関する。
【背景技術】
【０００３】
使い捨ての器具は、典型的には、ファーストフード及びテークアウトレストランで見つけられ得る。このようなレストランは、公にアクセス可能なディスペンサ又は容器から器具を取ることによって使用することが望まれる種類の器具を消費者に選択できるようにする。従来の器具ディスペンサは、内部に収容される器具の制限及び制御された保護環境を提供するように使用されてきた。しかしながら、このような組立品は、反復可能かつ確実な方法で消費者に器具を届ける課題及び問題を有する。従来の組立品はまた、器具の装填、及び顧客への器具の確実な供給の維持に関連する困難性を有し得る。
【先行技術文献】
【特許文献】
【０００４】
【特許文献１】米国特許第５３０６０７７号明細書
【特許文献２】欧州特許出願公開第０６６２２９５号明細書
【特許文献３】米国特許第２９２５３０７号明細書
【発明の概要】
【発明が解決しようとする課題】
【０００５】
したがって、確実かつ衛生的な方法で器具を顧客に供給することができるカトラリーディスペンサについての必要性が存在する。
【課題を解決するための手段】
【０００６】
器具ディスペンサ並びに器具ディスペンサを製造及び使用するための方法が本明細書で提供される。いくつかの実施例では、器具ディスペンサは、ハウジングと、ハウジング内でフィットするように構成されている、分配シャーシと、分配シャーシの外表面上に配置された少なくとも１つのポストと、ハウジング内に配置されており、かつハウジング内の分配シャーシポストに係着するように構成されている、少なくとも１つの滑動機構であって、滑動機構が、分配シャーシのポストに接触するように構成されており、及び／又は分配シャーシがハウジングから器具を分配するように構成されている、分配する位置と、分配シャーシが器具を装填されるように構成されている、装填する位置と、の間で、分配シャーシをガイドするように構成されている、スロットを含み得る、少なくとも１つの滑動機構と、を含み得る。
【図面の簡単な説明】
【０００７】
【図１】１つ以上の実施形態による、例示的な器具ディスペンサの斜視図を示す。
【図２】１つ以上の実施形態による、中に配置された１つ以上の分配シャーシを見せるように、アクセスドアが開いた状態の例示的な器具ディスペンサの別の斜視図を示す。
【図３Ａ】１つ以上の実施形態による、例示的な器具ディスペンサでの使用に好適な例示的な器具の斜視図を示す。
【図３Ｂ】１つ以上の実施形態による、図３Ａで示される器具の底面図を示す。
【図３Ｃ】１つ以上の実施形態による、例示的な器具ディスペンサでの使用に好適な例示的なナイフの底面斜視図を示す。
【図４】１つ以上の実施形態による、例示的な分配シャーシの部分斜視図を示す。
【図５】１つ以上の実施形態による、中に配置された１つ以上のサポートレールを示す、例示的な分配シャーシの断面平面図を示す。
【図６】１つ以上の実施形態による、例示的な分配シャーシの切取立面図を示す。
【図７】１つ以上の実施形態による、分配シャーシが、器具についてハーフフルと空との間である、例示的な分配シャーシの別の例示的な切取側面図を示す。
【図８】１つ以上の実施形態による、分配シャーシが、器具についてほぼ空である、例示的な分配シャーシの別の例示的な切取側面図を示す。
【図９】１つ以上の実施形態による、例示的な分配シャーシの下方部分の部分斜視図を示す。
【図１０】１つ以上の実施形態による、例示的な分配シャーシの下方部分の部分切取斜視図を示し、保持する位置でのアクチュエータを有する、その内部の拡大図を示す。
【図１１】１つ以上の実施形態による、例示的な分配シャーシの下方部分の部分切取斜視図を示し、部分的に分配する位置でのアクチュエータを有する、その内部の拡大図を示す。
【図１２】１つ以上の実施形態による、例示的な分配シャーシの下方部分の部分切取斜視図を示し、分配する位置でのアクチュエータを有する、その内部の拡大図を示す。
【図１３】１つ以上の実施形態による、例示的な分配シャーシの下方部分の例示的な切取側面図を示して、保持する位置でのアクチュエータをより良好に示す。
【図１４】１つ以上の実施形態による、例示的な分配シャーシの下方部分の例示的な切取側面図を示して、部分的に分配する位置でのアクチュエータをより良好に示す。
【図１５】１つ以上の実施形態による、分配する準備ができている位置での駆動機構を示す。
【図１６】１つ以上の実施形態による、保持するか又は静止する位置での駆動機構を示す。
【図１７】１つ以上の実施形態による、例示的な分配シャーシ及び中に配置されたプライム機構の部分切取斜視図を示す。
【図１８】１つ以上の実施形態による、アクセスドアが開いており、１つの分配シャーシが装填する位置にあり、かつ２つの分配シャーシが分配する位置にある状態の例示的な器具ディスペンサの斜視図を示す。
【図１９】１つ以上の実施形態による、例示的な分配シャーシの下方部分の例示的な切取側面図を示して、分配する位置での分配シャーシをより良好に示す。
【図２０】１つ以上の実施形態による、例示的な分配シャーシの下方部分の例示的な切取側面図を示して、装填する位置での分配シャーシをより良好に示す。
【図２１】１つ以上の実施形態による、例示的な分配シャーシの底面図を示す。
【図２２】１つ以上の実施形態による、分配シャーシが取り出された状態の例示的な器具ディスペンサの下方部分の部分切取斜視図を示して、滑動機構をより良好に示す。
【発明を実施するための形態】
【０００８】
以下の開示は、本発明の異なる特徴、構造、又は機能を実施するためのいくつかの例示的な実施形態を説明することを理解されたい。構成要素、配置、及び構成の例示的な実施形態は、本開示を簡略化するように以下で説明される。しかしながら、これらの例示的な実施形態は、単に実施例として提供され、本発明の範囲を限定することを意図しない。更に、本開示は、様々な例示的な実施形態で、及び本明細書で提供される図にわたって、参照番号及び／又は文字を繰り返し得る。この繰り返しは、簡略化及び明瞭性の目的のためであり、それ自体では、図で論じられる様々な例示的な実施形態及び／又は構成の間の関係を決定しない。更に、以下の説明での第２の特徴の上での又は第２の特徴上の第１の特徴の形成は、第１及び第２の特徴が直接接触して形成される実施形態を含み得、また、第１及び第２の特徴を間に入れて追加の特徴が形成され得る実施形態を含み得、そのため、第１及び第２の特徴は、直接接触しない場合がある。最後に、以下で提示される例示的な実施形態は、任意の方法の組み合わせで組み合わされ得、すなわち、１つの例示的な実施形態からの任意の要素は、本開示の範囲から逸脱することなく、任意の他の例示的な実施形態で使用され得る。図は、必ずしも縮尺どおりではなく、図の特定の特徴及び特定の図は、明瞭性及び／又は簡潔性のために、縮尺で誇張されて示され得るか、又は概略的に示され得る。
【０００９】
更に、特定の用語が、以下の説明及び特許請求の範囲を通じて使用されて、特定の構成要素を指す。当業者が理解するように、様々なエンティティは、異なる名称によって同じ構成要素を指し得、したがって、本明細書で説明される要素についての命名の慣習は、本明細書で特に具体的に定義されない限り、本発明の範囲を限定することを意図しない。更に、本明細書で使用される命名の慣習は、機能ではなく名称で異なる構成要素の間で区別することを意図しない。更に、以下の説明及び特許請求の範囲では、用語「含む」及び「備える」は、オープンエンド形式で使用され、したがって、「含むが限定されない」ことを意味すると解釈されるべきである。本開示での全ての数値は、特に具体的に示されない限り、正確な値又は近似値であり得る。したがって、本開示の様々な実施形態は、意図された範囲から逸脱することなく、本明細書で開示される数、値、及び範囲から外れ得る。更に、特許請求の範囲又は明細書で使用されるように、用語「又は」は、排他的及び包括的なケースの両方を包含することを意図し、すなわち、「Ａ又はＢ」は、本明細書で特に明白に指定されない限り、「Ａ及びＢのうちの少なくとも１つ」と同義であることが意図される。
【００１０】
本明細書で使用されるような、用語「上（up）」及び「下（down）」、「上向き」及び「下向き」、「上方」及び「下方」、「上向きに」及び「下向きに」、「上（above）」及び「下（below）」、並びに他の同様の用語は、互いに対する相対的な位置を指し、装置及び装置の使用方法が様々な角度又は配向で同等に有効であり得るため、特定の空間的配向を示すことを意図しない。
【００１１】
図１及び図２は、１つ以上の実施形態による、例示的な器具ディスペンサ１０の斜視図を示す。器具ディスペンサ１０は、図１で示されるように、ベース１４と、器具ディスペンサ１０が操作される間に閉じられ得るアクセスドア１６と、を有する本体１２を含み得、アクセスドア１６は、図２で示されるように、本体１２の内側を見せるように開かれ得る。図１及び図２を参照すると、器具ディスペンサ１０は、アクセスポート２２を通じて複数の器具２０を分配するための１つ以上の分配シャーシ１８を含み得る。ユーザー又は顧客は、器具２０のハンドル２４を把持し、使用のために、器具２０を器具ディスペンサ１０から自由に引っ張り得る。ユーザーによる器具２０の取り出し又は分配に応答して、器具ディスペンサ１０は、アクセスポート２２を介してアクセス可能な器具ハンドル２４で分配されるように別の器具２０を配置し得る。器具ディスペンサ１０は、プラスチックカトラリー、例えば、ポリスチレン器具を分配し得る。１つの器具２０が取り出されると、別の器具２０は、ハンドル２４がアクセスポート２２の外側にあるような位置に移動させられ得る。食品と接触し得る器具２０のヘッド部分、例えば、フォーク歯、スプーンボウル、ナイフブレードなどは、器具ディスペンサ１０内に残り得る。したがって、器具のこれらの部分は、環境から保護され得る。器具ディスペンサ１０は、スプーン、フォーク、ナイフ、スポーク、箸などであるがこれらに限定されない様々な器具を分配するように使用され得る。
【００１２】
器具ディスペンサ１０は、壁取り付けブラケットアタッチメント穴（図示せず）を使用して壁上に掛けられ得る。器具ディスペンサ１０は、ベース１４に取り付けられ得る。ベース１４は、器具ディスペンサ１０にサポートを提供し得、器具ディスペンサ１０が自立することを可能にする。ベース１４は、器具ディスペンサ１０が壁取り付けブラケットアタッチメント穴を使用して取り付けられた壁であり得るように、取り外し可能であり得る。複数の器具ディスペンサ１０が、壁上に掛けられ得る。
【００１３】
器具ディスペンサ１０で保管される器具２０は、分配シャーシ１８で保管され得る。器具ディスペンサ１０は開かれ得、分配シャーシ１８の交換を可能にして、器具ディスペンサ１０を再充填する。器具ディスペンサ１０は、ヒンジを使用して開き得る。ヒンジ式アクセスドア１６は、器具ディスペンサ１０の内部空間へのアクセスを可能にし得る。ヒンジ位置は、器具ディスペンサ１０の頂部、底部、又は側部上に配置され得る。アクセスドア１６は、充填レベルウィンドウ（図示せず）を有し得る。分配シャーシ１８は、各それぞれの分配シャーシ１８での器具２０のストックの視覚的表示を見ることができるようにする、対応する充填レベルウィンドウ（図示せず）を有し得る。分配シャーシ１８は、器具ディスペンサ１０に取り付けられ得るか、又は器具ディスペンサ内に挿入され得、分配され得る器具２０を提供し得る。分配シャーシ１８は、器具２０と共に予めパッケージ化され得る。いくつかの実施態様では、分配シャーシ１８は、新しい分配シャーシと交換され、再使用されない。他の実施態様では、分配シャーシ１８は、器具ディスペンサ１０で再充填及び再使用され得る。器具ディスペンサ１０は、１つ、２つ、３つ以上の分配シャーシを受容し得る。図２の器具ディスペンサ１０は、３つの分配シャーシ１８と共に示され、例えば、スプーン、フォーク、及びナイフの各々について１つであるが、任意の器具の組み合わせが使用され得る。分配シャーシ１８は、任意の分配するスロットに連通し得る。したがって、任意の種類の器具２０の分配シャーシ１８は、任意の利用可能な分配するスロットに配置され得る。
【００１４】
あるいは、各分配シャーシ１８及び分配するスロットは、分配されている器具２０に固有であり得る。分配シャーシ１８は、対応する器具２０に適合するように個別に設計され得る。分配シャーシ１８の設置面積及び寸法は、これらの実施態様で互いに異なり得、中の開口部の形状は、特定の種類の器具のために設計され得る。
【００１５】
図３Ａは、１つ以上の実施形態による、器具２０の斜視図を示し、図３Ｂ及び図３Ｃは、１つ以上の実施形態による、器具２０の底面図及び底面斜視図を示す。各器具２０は、ハンドル３０に隣接及び近接した機能的部分又はセクション３４を有し得る。機能的セクション３４は、例えば、切断、穿孔、及び／又はすくい取りなどの食品の消費を補助する機能を実行するように構成され得る。機能的セクション３４は、ハンドル３０に隣接した第１の端部３２２と、ハンドル３０から末端の第２の端部３２４と、を有し得る。ハンドル３０は、ユーザーによって、器具２０を保持及び／又は操作するように利用され得る。ハンドル３０は、第１の端部３３２と、第２の端部３３４と、を有し得る。参照のために、ハンドル３０の第１の端部３３２は、機能的セクション３４から最も遠い端部であり得、第２の端部３３４は、機能的セクション３４に隣接及び近接した（すなわち、最も近い）端部であり得る。各器具２０は、使い捨てであり、成形可能材料から構成され得る。成形可能材料は、例えば、プラスチック、プラスチックの組み合わせ、又はプラスチック、及び使い捨て若しくは再利用可能なカトラリーとして使用するのに好適な他の材料の組み合わせを含み得る。特定の実施形態では、成形可能材料は、ポリスチレン、ポリエチレン、ポリプロピレン、並びにその配合物及び混合物であり得るか、又はそれを含み得る。器具２０は、器具２０の片側又は両側上のウィング又は戻り止め３２であり得るか、又はそれを含み得る第１の部分２８を含み得る。器具２０はまた、テールサポート及び／又はハンドル２４であり得るか、又はそれを含み得る第２の部分３０を含み得る。第１の部分２８及び第２の部分３０は、スプーン、ナイフ、フォーク、スポークなどであるがこれらに限定されない他の器具に組み込まれ得る。
【００１６】
各器具２０は、器具２０の第１の又は上方の表面３１２から外側に離れて延在する、軸方向に配向された隆起部又は隆起したスパイン３４０を含み得る。隆起したスパイン３４０は、ハンドル３０及び／又は機能的セクション３４の隆起した部分を形成し得る。隆起したスパイン３４０は、ハンドル３０の第１の端部３３２からハンドル３０の第２の端部３３４まで延在し得る。隆起したスパイン３４０はまた、機能的セクション３４に延在し得る。隆起したスパイン３４０は、その第１の端部３４２からその第２の端部３４４まで連続的であり得るか、又は隆起したスパイン３４０は、断続的（すなわち、非連続的）であり得る。一実施形態では、隆起したスパイン３４０の第１の端部３４２は、ハンドル３０に近接し得、隆起したスパイン３４０の第２の端部３４４は、機能的セクション３４に近接し得る。
【００１７】
隆起したスパイン３４０の長さは、ハンドル３０又はその任意の部分の全体の長さにわたって延在し得る。例えば、隆起したスパイン３４０の長さは、ハンドル３０の長さの約１０％、約２０％、約３０％以上であり得る。隆起したスパイン３４０の長さはまた、ハンドル３０の長さの約７０％、約８０％、約９０％以上であり得る。隆起したスパイン３４０の長さはまた、ハンドル３０の長さの約１５％、約２５％、又は約３５％の低い値から、ハンドル３０の長さの約８５％、約９５％、約１０５％、又は約１５５％の高い値までの範囲であり得る。その第１の端部３４２からその第２の端部３４４までで測定されるような隆起したスパイン３４０の長さは、少なくとも１ｃｍ、少なくとも２ｃｍ、少なくとも３ｃｍ、少なくとも４ｃｍ、少なくとも５ｃｍ、０．５〜５ｃｍ、０．５〜４ｃｍ、０．５〜３ｃｍ、０．５〜２ｃｍ、１〜５ｃｍ、１〜４ｃｍ、１〜３ｃｍ、１〜２ｃｍ、２〜５ｃｍ、２〜４ｃｍ、又は２〜３ｃｍであり得る。
【００１８】
隆起したスパイン３４０は、その第１の端部３４２からその第２の端部３４４まで変化する高さを有し得る。隆起したスパイン３４０の高さは、その第１の端部３４２からその第２の端部３４４へ、すなわち、機能的セクション３４に向かう方向に増加又は傾斜し得る。隆起したスパイン３４０の高さは、その第１の端部３４２からその第２の端部３４４へ、すなわち、機能的セクション３４に向かう方向に減少又は傾斜し得る。第１の端部３４２からその第２の端部３４４までの隆起したスパイン３４０の高さの変化が漸進的であり得るか、又は変化が、隆起したスパイン３４０に沿った異なる点で断続的に生じ得る。隆起したスパイン３４０の最も高い点又は部分は、そのクラウン３４６である。クラウン３４６は、ハンドル３０の第２の端部３３４若しくは機能的セクション３４の第１の端部３２２に近接若しくは隣接し得るか、又はハンドル３０の第１の端部３４若しくは器具に沿った任意の他の好適な位置に近接若しくは隣接し得る。スパインクラウン３４６は、第１の表面３１２からスパインクラウン３４６の頂部までで測定される高さを有し得、高さは、０．１ｃｍよりも大きいか、０．２ｃｍよりも大きいか、０．３ｃｍよりも大きいか、０．４ｃｍよりも大きいか、０．５ｃｍよりも大きいか、０．５ｃｍ未満か、０．４ｃｍ未満か、０．３ｃｍ未満か、０．２ｃｍ未満か、０．１ｃｍ〜０．５ｃｍか、０．１ｃｍ〜０．４ｃｍか、０．１ｃｍ〜０．３ｃｍか、０．１ｃｍ〜０．２ｃｍか、０．２ｃｍ〜０．５ｃｍか、０．２ｃｍ〜０．４ｃｍか、０．２ｃｍ〜０．３ｃｍか、又は０．３ｃｍ〜０．５ｃｍである。
【００１９】
隆起したスパイン３４０は、その第１の端部３４２とその第２の端部３４４との間で変化する幅を有し得る。隆起したスパイン３４０の幅は、その第１の端部３４２からその第２の端部３４４に向かって、すなわち、ハンドル３０から機能的セクション３４に向かう方向に減少し得る。隆起したスパイン３４０の幅はまた、ハンドル３０から機能的セクション３４に向かう方向に増加し得る。特定の実施形態では、隆起したスパイン３４０の最も広い部分は、スパインクラウン３４６にある。隆起したスパイン３４０は、０．１ｃｍよりも大きいか、０．２ｃｍよりも大きいか、０．３ｃｍよりも大きいか、０．４ｃｍよりも大きいか、０．５ｃｍよりも大きいか、０．１〜０．５ｃｍか、１．５ｃｍ未満か、１．０ｃｍ未満か、０．８ｃｍ未満か、０．６ｃｍ未満か、０．１ｃｍ〜１．０ｃｍか、０．１ｃｍ〜０．８ｃｍか、０．１ｃｍ〜０．６ｃｍか、０．２ｃｍ〜１．０ｃｍか、０．２ｃｍ〜０．８ｃｍか、０．２ｃｍ〜０．６ｃｍか、又は０．３ｃｍ〜１．０ｃｍである最大幅を有し得る。隆起したスパイン３４０の最大幅は、隆起したスパイン３４０の第１の端部３４２に近接又は隣接し得る。その第１の端部３４２での隆起したスパイン３４０の幅は、ハンドル３０の幅の約５０％、約６０％、約７０％、約８０％、約９０％、又は約９５％よりも大きくあり得る。その第２の端部３４４での隆起したスパイン３４０の幅は、ハンドル３０の幅の約５５％、約６５％、約７５％、約８５％、約９５％、又は約９８％よりも大きくあり得る。
【００２０】
隆起したスパイン３４０は、０．５ｃｍ未満、０．４ｃｍ未満、０．３ｃｍ未満、０．２ｃｍ未満、０．１ｃｍ未満、０．１〜０．５ｃｍ、０．１〜０．４ｃｍ、０．１〜０．３ｃｍ、０．１〜０．２ｃｍ、０．２〜０．５ｃｍ、０．２〜０．４ｃｍ、０．２〜０．３ｃｍ、又は０．３〜０．５ｃｍである最小幅を有し得る。ハンドル３０上の隆起したスパイン３４０の最小幅は、スパインクラウン３４６にあり得る。スパインクラウン３４６での隆起したスパイン３４０の幅は、隆起したスパインクラウン３４６でのハンドル３０の幅の５０％未満であり得、隆起したスパインクラウン３４６でのハンドル３０の幅の４０％未満であり得、隆起したスパインクラウン３４６でのハンドル３０の幅の３０％未満であり得、隆起したスパインクラウン３４６でのハンドル３０の幅の２０％未満であり得、隆起したスパインクラウン３４６でのハンドル３０の幅の１０％未満であり得る。
【００２１】
隆起したスパイン３４０は、機能的セクション３４の方向に増加し得る第１のセクション３５０に沿って変化する高さを有し得る。第１のセクション３５０は、隆起したスパイン第１の端部３４２に相対的に近い第１のセクション端部３５２と、隆起したスパイン第２の端部３４４に相対的に近い第２のセクション端部３５４と、を有し得る。第１のセクション端部３５２は、隆起したスパイン第１の端部３４２、又は隆起したスパインが高さを増加し始める、隆起したスパイン３４０の長さに沿った任意の好適な位置に隣接し得る。第２のセクション端部３５４は、スパインクラウン３４６、又は隆起したスパイン３４０が高さを減少し始める任意の場所に隣接し得る。第１のセクション端部３５２から第２のセクション端部３５４までで測定されるような第１のセクション３５０の長さは、少なくとも１ｃｍ、少なくとも２ｃｍ、少なくとも３ｃｍ、少なくとも４ｃｍ、少なくとも５ｃｍ、少なくとも６ｃｍ、少なくとも７ｃｍ、少なくとも８ｃｍ、少なくとも９ｃｍ、少なくとも１０ｃｍ、１５ｃｍ未満、１４ｃｍ未満、１３ｃｍ未満、１２ｃｍ未満、１０ｃｍ未満、８ｃｍ未満、０．５〜１５ｃｍ、０．５〜１０ｃｍ、０．５〜８ｃｍ、０．５〜６ｃｍ、１〜５５ｃｍ、１〜１０ｃｍ、１〜８ｃｍ、１〜６ｃｍ、２〜１５ｃｍ、２〜１０ｃｍ、又は２〜８ｃｍであり得る。第１のセクションの長さは、隆起したスパイン３４０の長さの５０％よりも大きくあり得、隆起したスパイン３４０の長さの７０％よりも大きくあり得、隆起したスパイン３４０の長さの８０％よりも大きくあり得、隆起したスパイン３４０の長さの９０％よりも大きくあり得、隆起したスパイン３４０の長さの９５％よりも大きくあり得る。
【００２２】
器具２０は、器具２０の片側又は両側上に配置された少なくとも１つの成形された延長部３２を含み得る。成形された延長部３２は、ウィング、戻り止め、又は器具２０の側部から突出する他の形状であり得る。成形された延長部３２は、機能的セクション３４の側部又はハンドル３０の側部から横方向に延在し得る。成形された延長部３２は、器具２０の長さに沿った任意の好適な位置上に配置され得る。成形された延長部３２は、隆起したスパイン３４０のクラウン３４６に近接して配置され得る。特定の実施形態では、成形された延長部３２は、横方向に対向した２つの成形された延長部であり得る。第１の成形された延長部３２は、器具２０の第１の横方向側部から（例えば、ハンドル３０又は機能的セクション３４から）横方向に延在し得、第２の成形された延長部３２は、器具２０の反対から（例えば、ハンドル３０又は機能的セクション３４から）横方向に延在する。第１及び第２の成形された延長部３２は、同一平面であり得る。各成形された延長部３２は、例えば、ウィング状、三角形、矩形、正方形、六角形、五角形、又は表面を形成することができる任意の他の形状を含む、任意の形状又は断面を有し得る。２つ以上の成形された延長部３２が使用される場合、各成形された延長部３２の形状又は断面は、同じであるか、又は異なり得る。特定の実施形態では、器具２０の片側又は器具２０の両側上に複数の成形された延長部（図示せず）が存在し得る。
【００２３】
ハンドル３０は、その長さに沿った任意の場所で、面取りされ得るか、テーパとなり得るか、又は輪郭付けされ得る。例えば、ハンドル３０の第１の端部３３２は、面取りされ得るか、テーパとなり得るか、又は輪郭付けされ得る。第１の端部３３２の面取り部は、分配するユニットが、スタックされたときの器具２０間でピックするのをより容易にし得る。いくつかの実施形態では、各ハンドル３０の一部が切り欠かれて、より薄いセクション又は輪郭を提供し得る。面取り部と同様に、ハンドル３０でのこの切り欠きは、分配するユニット（図示せず）が器具２０間でピックするのをより容易にし得る。
【００２４】
更に図３ａ及び図３ｂを参照すると、器具２０が分配シャーシでスタックされ得るように、１つ以上の入れ子の特徴が、器具２０のスタック１２０を安定化させるように使用され得る。ハンドル３０は、（図８で示される）バンドを受容するためにその長さに沿って配置された１つ以上の切り欠きを有して、器具２０がスタックされた配向で残るのに役立ち得る。例えば、切り欠きセクションは、第１の肩部又は切り欠き３３６と成形された延長部３２との間のハンドル３０で形成され得る。別の実施例では、切り欠きセクションは、第１の切り欠き３３６と第２の肩部又は切り欠き３８との間のハンドル３０で形成され得る。第１の切り欠き３３６から第２の切り欠き３３８までで測定されるような切り欠きの長さは、１ｃｍよりも大きいか、２ｃｍよりも大きいか、３ｃｍよりも大きいか、４ｃｍよりも大きいか、１０ｃｍ未満か、８ｃｍ未満か、６ｃｍ未満か、１〜１０ｃｍか、１〜８ｃｍか、１〜６ｃｍか、２〜１０ｃｍか、２〜８ｃｍか、又は２〜６ｃｍであり得る。バンドの幅は、切り欠きの長さとほぼ同じ長さであり得る。更に、ハンドル３０の片側又は両側は、第１の切り欠き３３６からハンドル３０の第１の端部３３２に向かってテーパとなり得る。テーパは、バンドが第１の切り欠き３３６からハンドル３０の第１の端部３３２に向かって移動するときにバンドをきつくし得る。ハンドル３０の片側又は両側は、第２の切り欠き３３８からハンドル３０の第２の端部３３４に向かってテーパとなり得る。テーパは、バンドが第２の切り欠き３３８からハンドル３０の第２の端部３３４に向かって移動するときにバンドをきつくし得る。ハンドル３０上の任意のテーパは、連続的又は断続的であり得る。バンドは、器具２０がディスペンサに装填される前又は後に取り出され得る。一実施形態では、バンドは、器具２０に接触する粘着性が存在しない場合がある。別の実施形態では、バンドは、器具２０に接触する粘着性を含み得る。
【００２５】
図３ｂは、１つ以上の実施形態による、例示的なフォークの底面図を示す。これらの底面斜視図に見られるように、器具２０は、上方の表面又は上面１２に対向する第２の表面又は底面１４を有し得る。１つ以上のチャネル又は陥凹された溝７０、８０（２つが示されている）は、第２の表面３１４で形成され得る。各陥凹されたチャネル７０、８０は、第２の表面３１４の一部又は全部に沿って延在し得る。示されるように、第１の陥凹されたチャネル３７０は、第２の表面３１４で形成され得、第２の陥凹されたチャネル３８０は、第１の陥凹されたチャネル３７０内で形成され得る。第１の陥凹されたチャネル３７０又は第２の陥凹されたチャネル３８０の最大深さは、隆起したスパイン３４０の最大高さとほぼ等しくあり得る。
【００２６】
第１の陥凹されたチャネル３７０は、ハンドル３０の第１の端部３３２に隣接し得る第１の陥凹されたチャネル第１の端部３７２を有し得る。第１の陥凹されたチャネル第１の端部３７２は、ハンドル３０の第１の端部３３２から０．５ｃｍ未満、０．４ｃｍ未満、０．３ｃｍ未満、０．２ｃｍ未満、又は０．１ｃｍ未満であり得る。第１の陥凹されたチャネル３７０は、ハンドル３０又は機能的セクション３４のいずれかの上であり得る第１の陥凹されたチャネル第２の端部３７４を有し得る。第１の陥凹されたチャネル第２の端部３７４は、第１の機能的セクション端部２２又はハンドル３０の第２の端部３３４のいずれかに隣接し得る。第１の陥凹されたチャネル第２の端部３７４は、第１の機能的セクション端部２２から０．５ｃｍ未満、０．４ｃｍ未満、０．３ｃｍ未満、０．２ｃｍ未満、又は０．１ｃｍ未満であり得る。第１の陥凹されたチャネル第２の端部３７４は、ハンドル３０の第２の端部３３４から０．５ｃｍ未満、０．４ｃｍ未満、０．３ｃｍ未満、０．２ｃｍ未満、又は０．１ｃｍ未満であり得る。
【００２７】
第１の陥凹されたチャネル第１の端部３７２から第１の陥凹されたチャネル第２の端部３７４までで測定されるような第１の陥凹されたチャネル３７０の長さは、少なくとも１ｃｍ、少なくとも２ｃｍ、少なくとも３ｃｍ、少なくとも４ｃｍ、少なくとも５ｃｍ、少なくとも６ｃｍ、少なくとも７ｃｍ、少なくとも８ｃｍ、少なくとも９ｃｍ、少なくとも１０ｃｍ、１５ｃｍ未満、１４ｃｍ未満、１３ｃｍ未満、１２ｃｍ未満、１０ｃｍ未満、８ｃｍ未満、０．５〜１５ｃｍ、０．５〜１０ｃｍ、０．５〜８ｃｍ、０．５〜６ｃｍ、１〜１５ｃｍ、１〜１０ｃｍ、１〜８ｃｍ、１〜６ｃｍ、２〜１５ｃｍ、２〜１０ｃｍ、又は２〜８ｍｍであり得る。第１の陥凹されたチャネル３７０の長さは、隆起したスパイン３４０とほぼ同じ長さであり得る。第１の陥凹されたチャネル３７０の長さは、隆起したスパイン３４０の長さよりも、少なくとも１ｃｍ、少なくとも２ｃｍ、少なくとも３ｃｍ、少なくとも４ｃｍ、少なくとも５ｃｍ、０．５〜５ｃｍ、０．５〜４ｃｍ、０．５〜３ｃｍ、０．５〜２ｃｍ、１〜５ｃｍ、１〜４ｃｍ、１〜３ｃｍ、１〜２ｃｍ、２〜５ｃｍ、２〜４ｃｍ、又は２〜３ｃｍ長くあり得る。
【００２８】
第１の陥凹されたチャネル３７０は、一定の深さ、又は最大深さに達するまで機能的セクション３４の方向に深さを増加させ得る、変化する深さを有し得る。第１の陥凹されたチャネル３７０の最大深さは、ハンドル３０の第２の端部３３４又は機能的セクション３４の第１の端部３２２に隣接し得る。第１の陥凹されたチャネル３７０は、第２の表面３１４から第１の陥凹されたチャネル３７０の底部までで測定される深さを有し得、深さは、０．１ｃｍよりも大きいか、０．２ｃｍよりも大きいか、０．３ｃｍよりも大きいか、０．４ｃｍよりも大きいか、０．５ｃｍよりも大きいか、０．１〜０．５ｃｍか、０．１〜０．４ｃｍか、０．１〜０．３ｃｍか、０．１〜０．２ｃｍか、０．２〜０．５ｃｍか、０．２〜０．４ｃｍか、０．２〜０．３ｃｍか、又は０．３〜０．５ｃｍである。
【００２９】
第１の陥凹されたチャネル３７０は、完全に一定の幅か、最小幅に達するまで機能的セクション３４の方向に幅を減少させ得るか若しくは最大幅に達するまで機能的セクション３４の方向に幅を増加させ得る、変化する幅か、又は他の好適な構成を有し得る。第１の陥凹されたチャネル３７０は、０．１ｃｍよりも大きいか、０．２ｃｍよりも大きいか、０．３ｃｍよりも大きいか、０．４ｃｍよりも大きいか、０．５ｃｍよりも大きいか、０．１〜０．５ｃｍか、０．１〜０．４ｃｍか、０．１〜０．３ｃｍか、０．１〜０．２ｃｍか、０．２〜０．５ｃｍか、０．２〜０．４ｃｍか、０．２〜０．３ｃｍか、又は０．３〜０．５ｃｍである最大幅を有し得る。第１の陥凹されたチャネル３７０の最大幅は、第１の陥凹されたチャネル第１の端部３７２にあり得る。第１の陥凹されたチャネル第１の端部３７２での第１の陥凹されたチャネル３７０の幅は、第１の陥凹されたチャネル第１の端部３７２でのハンドル３０の幅の５０％よりも大きくあり得、ハンドル３０第１の陥凹されたチャネル第１の端部３７２の幅の７０％よりも大きくあり得、第１の陥凹されたチャネル第１の端部３７２でのハンドル３０の幅の８０％よりも大きくあり得、第１の陥凹されたチャネル第１の端部３７２でのハンドル３０の幅の９０％よりも大きくあり得、第１の陥凹されたチャネル第１の端部３７２でのハンドル３０の幅の９５％よりも大きくあり得る。
【００３０】
第１の陥凹されたチャネル３７０は、０．５ｃｍ未満、０．４ｃｍ未満、０．３ｃｍ未満、０．２ｃｍ未満、０．１ｃｍ未満、０．１〜０．５ｃｍ、０．１〜０．４ｃｍ、０．１〜０．３ｃｍ、０．１〜０．２ｃｍ、０．２〜０．５ｃｍ、０．２〜０．４ｃｍ、０．２〜０．３ｃｍ、又は０．３〜０．５ｃｍである最小幅を有し得る。第１の陥凹されたチャネル３７０の最小幅は、成形された延長部（複数可）６０に隣接し得る。第１の陥凹されたチャネル３７０の最小幅は、第１の陥凹されたチャネル３７０の最小幅でのハンドル３０の幅の５０％未満であり得、第１の陥凹されたチャネル３７０の最小幅でのハンドル３０の幅の４０％未満であり得、第１の陥凹されたチャネル３７０の最小幅でのハンドル３０の幅の３０％未満であり得、第１の陥凹されたチャネル３７０の最小幅でのハンドル３０の幅の２０％未満であり得、第１の陥凹されたチャネル３７０の最小幅でのハンドル３０の幅の１０％未満であり得る。第１の陥凹されたチャネル３７０は、器具のスタックで隣接する器具の隆起したスパイン３４０を受容し得る。第２の器具の隆起したスパイン３４０は、第１の陥凹されたチャネル３７０内に入れ子にし得る。別の隣接する器具の第１の陥凹されたチャネル３７０内の隆起したスパイン３４０のこの入れ子は、器具のスタックの高さを増加させることなく、器具のスタックの安定性を増加させ得る。
【００３１】
第２の陥凹されたチャネル３８０は、第２の陥凹されたチャネル第１の端部３８２を有し得る。第２の陥凹されたチャネル第１の端部３８２は、ハンドル３０の第１の端部３３２に隣接し得る。第２の陥凹されたチャネル第１の端部３８２は、ハンドル３０の第１の端部３３２から０．５ｃｍ未満、０．４ｃｍ未満、０．３ｃｍ未満、０．２ｃｍ未満、又は０．１ｃｍ未満であり得る。第２の陥凹されたチャネル３８０は、ハンドル３０又は機能的セクション３４のいずれかの上であり得る第２の陥凹されたチャネル第２の端部３８４を有し得る。第２の陥凹されたチャネル第２の端部３８４は、機能的セクション３４の第１の端部２２又はハンドル３０の第２の端部３３４のいずれかに隣接し得る。第２の陥凹されたチャネル第２の端部３８４は、第１の機能的セクション端部２２から０．５ｃｍ未満、０．４ｃｍ未満、０．３ｃｍ未満、０．２ｃｍ未満、又は０．１ｃｍ未満であり得る。第２の陥凹されたチャネル第２の端部３８４は、ハンドル３０の第２の端部３３４から０．５ｃｍ未満、０．４ｃｍ未満、０．３ｃｍ未満、０．２ｃｍ未満、又は０．１ｃｍ未満であり得る。
【００３２】
第２の陥凹されたチャネル第１の端部３８２から第２の陥凹されたチャネル第２の端部３８４までで測定されるような第２の陥凹されたチャネル３８０の長さは、少なくとも１ｃｍ、少なくとも２ｃｍ、少なくとも３ｃｍ、少なくとも４ｃｍ、少なくとも５ｃｍ、０．５〜５ｃｍ、０．５〜４ｃｍ、０．５〜３ｃｍ、０．５〜２ｃｍ、１〜５ｃｍ、１〜４ｃｍ、１〜３ｃｍ、１〜２ｃｍ、２〜５ｃｍ、２〜４ｃｍ、又は２〜３ｃｍであり得る。第２の陥凹されたチャネル３８０の長さは、隆起したスパイン３４０とほぼ同じ長さであり得る。
【００３３】
第２の陥凹されたチャネル３８０は、最大深さに達するまで機能的セクション３４の方向に深さを増加させ得る、変化する深さを有し得る。第２の陥凹されたチャネル３８０の最大深さは、ハンドル３０の第２の端部３３４若しくは第１の機能的セクション端部３２に隣接し得るか、又はスパインクラウン３４６と対向し得る。第２の陥凹されたチャネル３８０は、第２の表面３１４から第２の陥凹されたチャネル３８０の底部までで測定される深さを有し得、深さは、０．１ｃｍよりも大きいか、０．２ｃｍよりも大きいか、０．３ｃｍよりも大きいか、０．４ｃｍよりも大きいか、０．５ｃｍよりも大きいか、０．１〜０．５ｃｍか、０．１〜０．４ｃｍか、０．１〜０．３ｃｍか、０．１〜０．２ｃｍか、０．２〜０．５ｃｍか、０．２〜０．４ｃｍか、０．２〜０．３ｃｍか、又は０．３〜０．５ｃｍである。第２の陥凹されたチャネル３８０は、第１の陥凹されたチャネル３７０の底部から第２の陥凹されたチャネル３８０の底部までで測定される相対的な深さを有し得、相対的な深さは、０．１ｃｍよりも大きいか、０．２ｃｍよりも大きいか、０．３ｃｍよりも大きいか、０．４ｃｍよりも大きいか、０．５ｃｍよりも大きいか、１．５ｃｍ未満か、１．０ｃｍ未満か、０．８ｃｍ未満か、０．６ｃｍ未満か、０．１〜１．５ｃｍか、０．１〜１．０ｃｍか、０．１〜０．８ｃｍか、０．１〜０．６ｃｍか、０．２〜１．５ｃｍか、０．２〜１．０ｃｍか、０．２〜０．８ｃｍか、又は０．３〜０．６ｃｍである。
【００３４】
第２の陥凹されたチャネル３８０は、最小幅に達するまで機能的セクション３４の方向に幅を減少させ得る、変化する幅を有し得る。第２の陥凹されたチャネル３８０は、０．１ｃｍよりも大きいか、０．２ｃｍよりも大きいか、０．３ｃｍよりも大きいか、０．４ｃｍよりも大きいか、０．５ｃｍよりも大きいか、０．１〜０．５ｃｍか、０．１〜０．４ｃｍか、０．１〜０．３ｃｍか、０．１〜０．２ｃｍか、０．２〜０．５ｃｍか、０．２〜０．４ｃｍか、０．２〜０．３ｃｍか、又は０．３〜０．５ｃｍである最大幅を有し得る。第２の陥凹されたチャネル３８０の最大幅は、第２の陥凹されたチャネル第１の端部３８２又は任意の好適な位置にあり得る。第２の陥凹されたチャネル第１の端部３８２での第２の陥凹されたチャネル３８０の幅は、第２の陥凹されたチャネル第１の端部３８２でのハンドル３０の幅の５０％よりも大きくあり得、第２の陥凹されたチャネル第１の端部３８２でのハンドル３０の幅の７０％よりも大きくあり得、第２の陥凹されたチャネル第１の端部３８２でのハンドル３０の幅の８０％よりも大きくあり得、第２の陥凹されたチャネル第１の端部３８２でのハンドル３０の幅の９０％よりも大きくあり得、第２の陥凹されたチャネル第１の端部３８２でのハンドル３０の幅の９５％よりも大きくあり得る。
【００３５】
第２の陥凹されたチャネル３８０は、０．５ｃｍ未満、０．４ｃｍ未満、０．３ｃｍ未満、０．２ｃｍ未満、０．１ｃｍ未満、０．１〜０．５ｃｍ、０．１〜０．４ｃｍ、０．１〜０．３ｃｍ、０．１〜０．２ｃｍ、０．２〜０．５ｃｍ、０．２〜０．４ｃｍ、０．２〜０．３ｃｍ、又は０．３〜０．５ｃｍである最小幅を有し得る。第２の陥凹されたチャネル３８０の最小幅は、成形された延長部（複数可）６０に隣接し得る。第２の陥凹されたチャネル３８０の最小幅は、第２の陥凹されたチャネル３８０の最小幅でのハンドル３０の幅の５０％未満であり得、第２の陥凹されたチャネル３８０の最小幅でのハンドル３０の幅の４０％未満であり得、第２の陥凹されたチャネル３８０の最小幅でのハンドル３０の幅の３０％未満であり得、第２の陥凹されたチャネル３８０の最小幅でのハンドル３０の幅の２０％未満であり得、第２の陥凹されたチャネル３８０の最小幅でのハンドル３０の幅の１０％未満であり得る。第２の陥凹されたチャネル３８０は、器具のスタックで隣接する器具の隆起したスパイン３４０を受容し得る。第２の器具の隆起したスパイン３４０は、第２の陥凹されたチャネル３８０内に入れ子にし得る。別の隣接する器具の第２の陥凹されたチャネル７０内の隆起したスパイン３４０のこの入れ子は、器具のスタックの高さを増加させることなく、器具のスタックの安定性を増加させ得る。
【００３６】
第１又は第２の陥凹されたチャネル３７０、３８０は、第２の陥凹されたチャネル３８０の表面から突出する少なくとも１つのカウンターウエイト（図示せず）を有し得る。カウンターウエイトは、ハンドル端部３３２に隣接し得る。カウンターウエイト第１の端部９２からカウンターウエイト第２の端部９４までで測定されるようなカウンターウエイトの長さは、少なくとも０．５ｃｍ、少なくとも１ｃｍ、少なくとも２ｃｍ、少なくとも３ｃｍ、少なくとも４ｃｍ、少なくとも５ｃｍ、０．５〜５ｃｍ、０．５〜４ｃｍ、０．５〜３ｃｍ、０．５〜２ｃｍ、１〜５ｃｍ、１〜４ｃｍ、１〜３ｃｍ、又は１〜２ｃｍであり得る。カウンターウエイトの形状は、立方体、直方体、円筒、三角柱、球体、円錐、又はカウンターウエイトの機能を果たし得る任意の他の形状であり得る。カウンターウエイトは、第１の陥凹されたチャネル３７０上に、第２の陥凹されたチャネル３８０上に、又は第１の陥凹されたチャネル３７０及び第２の陥凹されたチャネル３８０の両方の上に配置され得る。カウンターウエイトは、機能的セクション３４上の物体に対するカウンターウエイトとして、又は、器具２０がディスペンサにあるときのカウンターウエイトとして作用することによって、使用中に器具２０に対するバランス及び安定性を提供するのに役立ち得る。このカウンターウエイトは、器具ディスペンサ（図示せず）を使用して、器具２０を分離するのをより容易にし得る。
【００３７】
器具２０は、器具のスタックを形成するようにまとめてスタックされ得る。器具のスタックは、器具２０間の低減された間隙を有し得る。器具のスタックでの隣接する器具の第２の表面３１４に対する第１の器具の第１の表面３１２の距離によって測定されるようなハンドル３２の第１の端部での間隙は、１ｍｍ未満、０．５ｍｍ未満、０．４ｍｍ未満、０．３ｍｍ未満、０．２ｍｍ未満、又は０．１ｍｍ未満であり得る。器具のスタックでの隣接する器具の第２の表面３１４に対する第１の器具の第１の表面３１２の距離によって測定されるような機能的セクションの第２の端部３２４での間隙は、１ｃｍ未満、０．５ｃｍ未満、０．４ｃｍ未満、０．３ｃｍ未満、０．２ｃｍ未満、０．１ｃｍ未満、１ｍｍ未満、０．５ｍｍ未満、０．４ｍｍ未満、０．３ｍｍ未満、０．２ｍｍ未満、０．１ｍｍ未満であり得る。器具のスタックでの全ての器具２０間のハンドル３０の第１の端部３３２での間隙は、ほぼ同じであり得る。器具のスタックでの全ての器具２０間の機能的セクション２０の第２の端部３２４での間隙は、ほぼ同じであり得る。器具のスタックでの器具２０間の間隙を低減することにより、器具のスタックの高さを低減し得る。器具のスタックは、第１の表面３１２が下向き、又は第２の表面３１４が下向きの状態で、ディスペンサに装填され得る。ハンドル３０の第１の端部３３２での器具のスタックでの頂部器具の第１の表面３１２からハンドル３０の第１の端部３３２での器具のスタックでの底部器具の第２の表面３１４までの距離によって測定されるようなセンチメートルでの器具のスタックの高さは、器具のスタックでの器具２０の数を乗じた、ハンドル３０の第１の端部３３２での第１の表面３１２から第２の表面３１４までの距離によって測定されるようなセンチメートルでの器具２０の高さの１００．１％未満、１００．５％未満、１０１％未満、１０２％未満、１０３％未満、１０４％未満、１０５％未満、１００％〜１０５％、１００％〜１０４％、１００％〜１０３％、１００％〜１０２％、１００％〜１０１％、１００％〜１００．５％、１００．５％〜１０５％、１００．５％〜１０４％、１００．５％〜１０３％、１００．５％〜１０２％、又は１００．５％〜１０１％であり得る。
【００３８】
器具２０が、器具のスタックでスタックされるとき、器具のスタックでの個々の器具２０は、一般的に、１つの方向に器具のスタックからスライドするだけであり得る。器具２０が、器具のスタックでスタックされるとき、器具のスタックでの個々の器具２０は、一般的に、ハンドル３０から機能的セクション３４に向かう方向、機能的セクション３４からハンドル３０に向かう方向、又はハンドル３０から機能的セクション３４に向かう方向及び機能的セクション３４からハンドル３０に向かう方向の両方にスライドするだけであり得る。器具のスタックが、第１の表面３１２が下向きの状態でディスペンサに装填されるとき、器具２０は、一般的に、ハンドル３０から機能的セクション３４に向かう方向にスライドするだけであり得る。スパインクラウン３４６は、楔として作用して、器具のスタックで器具２０の真下にある器具２０がハンドル３０の第１の端部３３２に向かってスライドすることを防止するか、そうでなければ制限し得る。ストップ３４８は、スパインクラウン３４６に近接して、隆起したスパイン４６上に配置され得る。ストップ３４８は、器具のスタックで器具２０の真下にある器具２０がハンドル３０から機能的セクション３４に向かって、又は機能的セクション３４からハンドル３０に向かってスライドすることを防止するか、そうでなければ制限し得る。器具のスタックが、第１の表面３１２が下向きの状態でディスペンサに装填されるとき、ストップ３４８は、器具のスタックで器具２０の真下にある器具２０が機能的セクション３４からハンドル３０に向かってスライドすることを防止するか、そうでなければ制限し得る。
【００３９】
図４は、ハウジング３８ａの一部を示す、図２で示される分配シャーシ１８の部分斜視図を示す。分配シャーシ１８のハウジング３８ｂの別の部分は、分配シャーシ１８の内部詳細を見せるように、図４では取り除かれている。ハウジング３８は、器具２０の１つ以上を収容し得、器具２０の第１の部分２８をサポートし、第１の部分２８に接触し得る前方台座４２と、器具２０の第２の部分３０をサポートし、第２の部分３０に接触し得る後方台座４４と、を含み得る。ハウジング３８はまた、器具２０をスタックされた配向に維持するために構成され得る少なくとも１つの概ね垂直なガイドレール４６を含み得る。第１の部分２８は、器具２０をスタックされた配向に維持するのを補助するように、ガイドレール４６内に配置され得る。スタック５６の安定性を増加させ、分配シャーシ１８内の空間部の使用を最大化するのに役立つように、各器具２０は、少し例を挙げてみただけでも、各器具のハンドルでより薄い端点を提供するように、面取りされた端部、凹状空洞、リブ、切り欠きなどの１つ以上の入れ子の特徴を含み得る。器具２０は、第２の器具２０上で垂直にスタックされ得る。器具２０は、同じ高さ、幅、及び長さであり得る。器具２０のハンドル２４での切り欠き（図示せず）は、個々の器具２０を分離するように器具ディスペンサ１０の分配する部分によって使用され得るより薄い端点を許容し得る。入れ子の特徴は、分配シャーシ１８内にスタックされた構成で器具２０を維持するのに役立つように使用され得る。
【００４０】
器具２０の分配は、器具自体の１つ以上の特徴に基づいて向上し得る。ハンドル２４は、面取りされ得る。面取り部は、分配するユニットが、器具間でピックするのをより容易にし得る。面取り部と同様に、ハンドル２４の切り欠きはまた、分配するユニットが器具２０間でピックするのをより容易にし得る。器具２０が分配シャーシにスタックされ得るように、入れ子の特徴が、器具スタック５６を安定化させるように使用され得る。１つの器具２０が別の器具２０に入れ子になり得るように、凹状空洞（図示せず）が使用され得る。
【００４１】
図５は、１つ以上の実施形態による、中に配置された１つ以上のサポート又はガイドレール４６を示す、分配シャーシ１８の断面平面図を示す。図５は、ハウジング３８の２つの部分、第１の部分３８ａ及び第２の部分３８ｂを示す。ガイドレール４６は、シャーシ１８又はその任意の部分の全体の長さを延在し得る。ガイドレール４６は、器具２０のスタック５６を封入するか、そうでなければ取り囲むようなサイズ及び形状である断面を有する。ガイドレール４６は、中に形成された１つ以上の輪郭又は陥凹された部分５０を含み得る。輪郭５０は、器具２０の側部上のウィング又は戻り止め３２に相補的である断面に成形され、及び／又は断面を有し得る。使用中、各器具２０のウィング又は戻り止め３２は、輪郭５０内で適合し、器具２０の残りの部分は、ガイドレール４６の残りの部分内で適合する。
【００４２】
前述したように、ハウジング３８は、第１の側部又は部分３８ａと、第２の側部又は部分３８ｂと、を含み得る。このような実施形態では、器具レール４６の第１の部分は、ハウジング３８の第１の部分３８ａで形成され得、ガイドレール４６の第２の部分は、ハウジング３８の第２の部分３８ｂで形成され得、そのため、ガイドレール４６の各部分は、ハウジング３８の対向する側の上に配置され、器具レール４６の各部分の中に、各器具２０の戻り止め３２の形状を補完する輪郭５０が形成されている。
【００４３】
再び図４を参照すると、ガイドレール４６は、前方台座４２の上で垂直に整合され得、底部器具２１の第１の部分２８が前方台座４２上に配置されるように、器具２０をガイドし得る。図６で示されるように、輪郭セクション５０を有するガイドレール４６は、器具２０のスタック５６がスタックされた配向で残るように保持し、役立ち得る。ハウジングの同じ側部上で１つを超える器具レール（図示せず）が存在する場合、追加のレールに相補的な、器具２０の側部上の追加のウィング又は戻り止め（図示せず）が存在し得、更に、器具２０を位置にガイドし得、スタック５６がスタックされた配向に残るのに役立ち得、又は十分近くに配置された場合、第１の部分２８は、レール４６間に配置され得る。
【００４４】
図６は、中に配置された器具２０の複数又はスタック５６を示す分配シャーシ１８の切取立面図を示す。分配シャーシ１８は、ハウジング３８でのスタック５６での器具２０の量を示し得る器具スタックゲージ５８を含み得る。器具スタックゲージ５８は、ピボット６２でハウジング３８に枢動可能に接続され得る第１のゲージアーム６０と、ピボット６６でハウジング３８に枢動可能に接続され得る第２のゲージアーム６４と、を含み得る。器具ディスペンサ１０は、分配シャーシ１８が分配シャーシ１８での器具２０の量を示し得る１つ以上のゲージウィンドウ６８（図１及び図２）を含み得る。第２のゲージアーム６４は、ゲージウィンドウ６８を通じて器具２０の異なる量を表示し得るインジケーター部分７０を含み得る。第１のゲージアーム６０は、ギア７２を含み得、第２のゲージアーム６４は、ギア７４を含み得、これは、ピボット６２周りの第１のゲージアーム６０の移動がピボット６６周りの第２のゲージアーム６４の移動に変えてゲージウィンドウ６８に対してインジケーター部分７０を移動させ得るようにギア７２と噛み合い得る。ギア７２及びギア７４はまた、スコッチヨークであり得る。示されていない代替の実施形態では、第１のゲージアーム及び第２のゲージアームは、一緒に固着され得、ピボット周りの第１のゲージアームの移動が第２のゲージアームの移動に変えられてゲージウィンドウに対してインジケーター部分を移動させ得るように枢動し得る。
【００４５】
インジケーター部分７０は、ゲージウィンドウ６８を通じて器具２０の異なる量を表示し得る。インジケーター部分７０は、インジケーター部分７０の異なる部分上にプリントされた異なる量を有し得る。異なる量が、一度に１つずつゲージウィンドウ６８を通じて認識可能であり得るか、又は複数の量が、レベルが表示される量の間にあることを示すように表示され得る。例えば、分配シャーシ１８が、器具スタック５６での器具２０の特定の量を超えて、５０％フルを超えて、６０％フルを超えて、７０％フルを超えて、８０％フルを超えて、又は９０％フルを超えて有するとき、インジケーター部分７０は、ゲージウィンドウ６８を通じて認識可能であるインジケーター部分７０上にプリントされた「フル」及び／又は緑色を有し得、分配シャーシ１８が、器具スタック５６での器具２０の特定の量の間、１０％フル〜９０％フル、２０％フル〜８０％フル、３０％フル〜７０％フル、４０％フル〜６０％フルを有するとき、ゲージウィンドウ６８を通じて認識可能であるインジケーター部分上にプリントされた「ハーフフル」及び／又は黄色を有し得、分配シャーシ１８が、器具スタック５６での器具２０の特定の量未満、５未満、４未満、３未満、２未満を有するか、又は器具２０を有しないとき、ゲージウィンドウ６８を通じて認識可能であるインジケーター部分７０上にプリントされた「空」、及び／又は赤色を有し得る。あるいは、色は、分配シャーシ１８に追加され得る、器具のフルスタックの数（器具のフルスタックでの器具の数が変化し得る）を示すように使用され得る。例えば、器具のフルスタックが３０個の器具である場合、緑は、追加の器具２０の１個未満のフルスタックが分配シャーシ１８内で適合することを示し得る。黄は、追加の器具の１つを超えるフルスタックが分配シャーシ１８に追加され得ることを示し得、赤は、追加の器具の２つのフルスタックが分配シャーシ１８に追加され得ることを示し得る。
【００４６】
第１のゲージアーム６０は、１つの突起、２つの突起、３つの突起、４つの突起、５つの突起、少なくとも１つの突起、少なくとも２つの突起、少なくとも３つの突起、少なくとも４つの突起、又は少なくとも５つの突起を含み得る。第１のゲージアームは、第１の突起７８と、第２の突起８０と、を含み得る。ハウジング３８は、第１の突起７８が延在し得る第１のゲージ開口部８２を含み得、第２の突起８０が延在し得る第２のゲージ開口部８４を含み得る。図６で示される分配シャーシ１８での器具スタック５６は、第１のゲージ開口部８２よりも高い。器具スタック５６が第１のゲージ開口部８２にあるか、又は第１のゲージ開口部８２よりも上にあるとき、第１の突起７８は、第１のゲージ開口部８２を通じて、器具スタック５６での器具２０に接触し、接触された器具又は器具（複数）は、第１の突起７８が第１のゲージ開口部８２を通じて延在することを防止する。器具２０に接触する第１の突起７８は、インジケーター部分７０が、ゲージウィンドウ６８を通じて分配シャーシ１８での器具２０の対応する量を示すように、第１のゲージアーム６０を第１の角度で設定し、第２のゲージアーム６４を配置する。この位置では、第２のゲージアーム６４は、ゲージウィンドウ６８を通じて認識可能であるインジケーター部分７０が、分配シャーシが「フル」であることを示すように、インジケーター部分７０を配置し得る。
【００４７】
図７は、分配シャーシ１８が器具２０のハーフフルと空との間にある、図６で示される分配シャーシ１８を示す。器具スタック５６が第１のゲージ開口部８２よりも低く、第２のゲージ開口部８４よりも高いため、第１の突起７８は、器具スタック５６の上で延在し得、第２の突起８０は、第２のゲージ開口部８４を通じてハウジング３８に延在し得ない。器具スタック５６は、第２のゲージ開口部８４の上にあるため、第２の突起８０は、第２のゲージ開口部８４を通じて器具２０の１つ以上に接触し、図６で示されるような第１のゲージアーム６０の位置と比較して（図７で示されるように）反時計回りに相対的に回転する第１のゲージアーム６０を第２の角度で設定する。この位置では、第２のゲージアーム６４は、ゲージウィンドウ６８を通じて認識可能であるインジケーター部分７０が、分配シャーシが「ハーフフル」又はハーフフル未満であることを示すように、インジケーター部分７０を配置し得る。
【００４８】
図８は、分配シャーシ１８が器具２０についてほぼ空である、図６で示される分配シャーシ１８を示す。器具スタック５６は、第２のゲージ開口部８４よりも下方にあるため、第１の突起７８は、第１のゲージ開口部８２を通じてハウジング３８に延在し得、第２の突起８０は、第２のゲージ開口部８４を通じてハウジング３８に延在し得る。第２の突起８０がハウジング３８に延在し得るとき、第１のゲージアーム６０は、図６及び図７で示される第１のゲージアーム６０の位置と比較して（図８で示されるように）反時計回りに相対的に回転し得る。この位置では、第２のゲージアーム６４は、ゲージウィンドウ６８を通じて認識可能であるインジケーター部分７０が、分配シャーシが「空」であることを示すように、インジケーター部分７０を配置し得る。
【００４９】
ゲージウィンドウ６８は、約５ｍｍの高さであり得、色、数、パーセンテージ、又は任意の他のインジケーターを表示して、分配シャーシ１８での器具２０の数を示し得る。第１のゲージアーム６０は、バネ補助を伴ってか、又はバネ補助を伴うことなく、重力で揺動し得る。第１のゲージアーム６０の重量及び／又は重心は、器具スタックゲージ５８がいかに動作するかを変更するように調整され得る。突起の位置及び／又は数は、より正確なレベルインジケーターを提供するように調整され得る。更に、示されていない実施形態では、第１の突起７８、第２の突起８０、又は第１の突起７８及び第２の突起８０の両方が、ハウジング３８での開口部を通じて通ることなく、器具スタック５６に直接接触し得るように、第１のゲージアーム７８は、ハウジング３８の部分的に又は完全に内側であり得る。
【００５０】
図９は、図２で示される分配シャーシ１８の部分斜視図を示す。分配シャーシ１８は、傾斜路８８と、アクチュエータ９０と、アクチュエータ戻しバネピン９４とハウジング３８ｂとの間に接続され得るアクチュエータ戻しバネ９２と、を含み得る。アクチュエータ９０は、アクチュエータレバー開口部９８を含み得るアクチュエータレバー９６を含み得る。アクチュエータレバー開口部９８は、器具２０が傾斜路８８を下方に移動するとき、器具２０のハンドル２４の通過を許可するようなサイズであり得る。アクチュエータレバー開口部９８は、器具２０の第１の部分２８又はヘッド３４に接触し、重力の力の下で、器具２０が傾斜路８８を下方に更に移動することを防止するようなサイズであり得る。１つ以上の実施例では、アクチュエータレバー開口部は、概ね逆さまの「Ｕ」形状を有し得、傾斜路８８の下向き方向に相対的に大きい方から相対的に小さい方までテーパとなり得る。１つ以上の実施例では、アクチュエータレバー開口部９８は、器具２０の片側又は両側上のウィング又は戻り止め３２に接触するようなサイズであり得る。
【００５１】
図１０〜図１２は、分配シャーシ１８の部分切取斜視図を示す。アクチュエータ９０は、保持する位置１０２（図１０）と、分配する位置１０４（図１２）と、保持する位置１０２と分配する位置１０４との間であり得る部分的に分配する位置１０６（図１１）との間で移動し得る。アクチュエータ９０は、ピボット１０８でハウジング３８に枢動可能に取り付けられ得、アクチュエータ９０は、保持する位置１０２と分配する位置１０４との間で、ピボット１０８周りで回転し得る。
【００５２】
分配シャーシ１８は、駆動ハンマー１１２と、カムフォロア１１４と、駆動ハンマー１１２とハウジング３８との間に接続された偏倚したバネ１１６と、を有し得る駆動機構１１０を含み得る。駆動ハンマー１１２は、準備位置１２０（図１２）と解放位置１２２（図１０）との間で駆動機構１１０を配置するように駆動ハンマー１１２が回転し得るピボット１１８でハウジング３８に取り付けられ得る。ピボット１１８は、駆動ハンマー１１２が枢動又は回転し得る任意の軸部、ピン、又は軸であり得る。
【００５３】
アクチュエータ９０は、カム表面１２８を含み得るカム１２６を含み得る。駆動機構１１０のカムフォロア１１４は、アクチュエータ９０が保持する位置１０２と分配する位置１０４との間で移動するとき、カム表面１２８に接触し、カム表面１２８上に乗り得る。保持する位置１０２と分配する位置１０４との間のアクチュエータ９０の移動は、カム１２６及びカムフォロア１１４を通じて駆動機構１１０を作動させ得る。作動されるとき、駆動機構１１０は、駆動ハンマー１１２が後退し、器具スタック５６から底部器具２１を駆動する準備ができている準備位置１２０と、駆動ハンマー１１２が器具スタック５６から底部器具２１に接触し、底部器具２１を押す解放位置１２２との間で移動し得る。
【００５４】
図１３〜図１６は、分配シャーシ１８の立面部分切取図を示す。保持する位置１０２（図１０及び図１３）では、アクチュエータ９０は、傾斜路８８を介して駆動機構１１０によってスタック５６から解放された後に解放された器具２０ａを受容し得、アクチュエータレバー９６は、解放された器具２０ａに接触して、解放された器具２０ａが傾斜路８８を下方に移動することを阻止し得る。アクチュエータレバー９６は、解放された器具２０ａの戻り止め３２又はヘッド３４に接触し得る。保持する位置１０２では、ハンドル２４が、解放された器具２０ａが分配位置にあるアクセスポート２２（図１及び図１３）を介してアクセス可能であるように、アクチュエータ９０は、解放された器具２０ａを保持し得る。アクチュエータ９０が保持する位置１０２にあるとき、駆動機構１１０は、解放位置１２２にあり得る。部分的に分配する位置１０６（図１１及び図１４）では、アクチュエータ９０は回転され得、器具２０ａはアクセスポート２２から更に外に移動し得る。部分的に分配する位置１０６では、ハンドル２４が解放される場合、アクチュエータ９０は、保持する位置１０２に直ちに戻ることを控え得る。分配する位置１０４（図１２及び図１５）では、ユーザーが解放された器具２０ａを器具ディスペンサ１０から自由に引っ張るとき、アクチュエータ９０は、解放された器具２０ａを解放し得、駆動機構１１０は、準備位置１２０に移動し得る。
【００５５】
アクチュエータ９０が分配する位置１０４から保持する位置１０２に戻るとき又は戻るように（図１６）、駆動機構１１０は、準備位置１２０から解放位置１２２まで移動し得、底部器具２１は、器具スタック５６の底部から移動し得るか又は押され得る。底部器具２１の第１の部分２８が、前方台座４２を通過し、底部器具２１の第２の部分３０が、後方台座４４を通過するように、駆動機構１１０は底部器具２１を押し得、これは、底部器具２１が器具スタック５６から落下することを可能にし得る。底部器具２１が、器具スタック５６（図１６）の底部から移動するか又は押されるとき、底部器具２１は、傾斜路８８に落下し得、重力の力の下で、アクチュエータ９０まで傾斜路８８をスライド又は下方に移動し得る。底部器具２１が器具スタック５６の底部から押されるとき、器具スタック５６は、下方に移動して新しい底部器具２１を生成し得る。
【００５６】
再び図１３〜図１６を参照すると、分配シャーシ１８は、ラチェットギア組立品１３２を含み得る。ラチェットギア組立品１３２は、アクチュエータ９０に接続され得るか、又はアクチュエータ９０と一体であり得るラチェットギア１３４を含み得る。ラチェットギア組立品１３２は、アクチュエータ９０が保持する位置１０２（図１０及び図１３）から分配する位置１０４（図１２及び図１５）に向かって、部分的に分配する位置１０６（図１１及び図１４）まで部分的に移動するとき、アクチュエータ９０が反動することを防止し得る。ラチェットギア１３４は、ラチェットギア１３４がアクチュエータカム１２６で、ピボット１０８周りで回転するように、アクチュエータカム１２６（図１０〜図１２）に接続され得るか、又はアクチュエータカム１２６と一体であり得る。ラチェットギア１３４は、アクチュエータ９０の一部として形成され得、ハウジング３８内に少なくとも部分的に配置され得る。アクチュエータ戻しバネピン９４は、ラチェットギア１３４から延在し得、戻しバネ９２（図９）は、ラチェットギア１３４を通じて保持する位置１０２でアクチュエータ９０を偏倚し得、アクチュエータ９０を分配する位置１０４から保持する位置１０２まで戻し得る。
【００５７】
ラチェットギア組立品１３２は、ラチェット歯止め１３８を含み得、ラチェットギア１３４は、ラチェット歯１４０と、表面１４２と、ストップ１４４と、を含み得る。ラチェット歯止め１３８は、ラチェット歯止めフック１４６を含み得、ピボット１４８でハウジング３８に枢動可能に接続され得る。ラチェットギア組立品１３２は、ラチェット歯止めフック１４６をラチェットギア１３４に接触して偏倚させ得るラチェット歯止めバネ１５０を含み得る。
【００５８】
ラチェット歯止めフック１４６は、ストップ１４４に係着して、保持する位置１０２（図１０及び図１３）でアクチュエータ９０を停止させ得、アクチュエータ９０が、分配する位置１０４から移動するとき、保持する位置１０２を越えて回転することを防止し得る。ラチェット歯止めフック１４６は、保持する位置１０２から部分的に分配する位置１０６（図１１及び図１４）までのアクチュエータ９０の移動の第１の部分でラチェット歯１４０に係着して、ユーザーが、引っ張り始めた後であるが器具２０が器具ディスペンサ１０から解放される前に器具ハンドル２４を解放する場合に、アクチュエータレバー９６が反動することを防止し得る。
【００５９】
ラチェット歯止めフック１４６は、アクチュエータ９０が分配する位置１０４（図１２及び図１５）まで移動するとき、表面１４２に係着してラチェット歯止めフック１４６をラチェット歯１４０から移動させ得、解放された器具２０ａは、器具ディスペンサ１０から取り出される。解放された器具２０ａが取り出された後、アクチュエータ９０は、戻しバネ９２（図９）の力の下で保持する位置１０２まで戻り得、ラチェット歯止めフック１４６は、ストップ１４４を捕えて、アクチュエータ９０を保持する位置１０２に配置し得る。
【００６０】
図１７は、プライム機構１５４を有する、図２で示される分配シャーシ１８の部分切取斜視図を示す。分配シャーシ１８は、アクチュエータ９０が解放された器具２０ａをすでに保持していないとき、（図１６で示されるように）器具スタック５６から底部器具２１を取り出して底部器具２１をアクチュエータ９０に届けるように駆動機構１１０を作動するためのプライム機構１５４を含み得る。プライム機構１５４は、アクセスポート２２（図１）の少なくとも部分的に下に配置され得る。プライム機構１５４は、プライマーハンドル１５６と、プライマーアーム１５８と、を含み得る。プライマーアーム１５８は、プライマーハンドル１５６の一部に接続されるか、又は一部を形成し得る。プライム機構１５４は、駆動機構１１０が準備位置１２０（図１２）まで移動する、延在された位置１６０（図１７）と、駆動機構１１０が解放位置１２２（図１０）まで移動し、器具スタック５６から底部器具２１を移動させて傾斜路８８及びアクチュエータレバー９６に落下する、静止位置１６２（図９及び図１６）との間で移動し得る。１つ以上の実施例では、プライマーハンドル１５６は、引張力を使用して、静止位置１６２から延在された位置１６０まで移動し得る。
【００６１】
アクチュエータレバー９６は、アクチュエータピン１６４を含み得、プライマーアーム１５８は、プライマーハンドル１５６を引っ張って、次いでプライマーハンドル１５６を解放することによって、静止位置１６２から延在された位置１６０までプライム機構１５４を移動させることによって、アクチュエータピン１６４に係着して、保持する位置１０２から分配する位置１０４までアクチュエータ９０を移動させ得る。１つ以上の実施例では、アクチュエータ戻しバネ９２（図９）は、アクチュエータ９０を保持する位置１０２まで戻し得、アクチュエータピン１６４は、プライマーアーム１５８及びプライマーハンドル１５６を押して静止位置１６２まで戻し得る。プライム機構１５４は、プライマーアーム１５８とハウジング３８との間に接続されたプライマー戻しバネ１６６を含んで、延在された位置１６０から静止位置１６２までプライム機構１５４を戻し得る。
【００６２】
プライム機構１５４は、静止位置１６２と延在された位置１６４との間でプライマーアーム１５８をガイドするための１つ以上のガイド１６８（図９）を含み得る。プライム機構１５４は、アクセスポート２２から延在するハンドル２４を有する器具２０がすでに存在しないとき、器具スタック５６がハウジング３８に装填された後、アクセスポート２２を通じて分配するために器具２０を配置することによって、使用のために分配シャーシ１８をユーザーがプライムすることを可能にする。
【００６３】
図１８は、アクセスドア１６が開いており、分配シャーシ１８ａが装填する位置１７２にあり、かつ分配シャーシ１８ｂ及び１８ｃが分配する位置１７４にある状態の器具ディスペンサ１０を示す。分配シャーシ１８が装填する位置１７２にあるとき、器具２０は、装填する開口部１７６を通じてハウジング３８に装填され得、分配シャーシ１８が分配する位置１７４にあるとき、器具２０は、器具ディスペンサ１０から分配され得る。分配シャーシ１８は、本体１２に接続されて残りながら、分配する位置１７４と装填する位置１７２との間で移動し得る。
【００６４】
図１９は、分配シャーシ１８が分配する位置１７４にある状態の、図２で示される器具ディスペンサ１０の部分の部分切取立面図を示す。図２０は、分配シャーシ１８が装填する位置１７２にある状態の、図２で示される器具ディスペンサ１０の部分切取立面図を示す。張力ディスペンサ１０は、少なくとも１つの器具分配シャーシ１８をサポートするために本体１２のベース１４に接続され得る、分配シャーシサポート又は滑動機構１８０を含み得る。分配シャーシ１８は、分配シャーシ１８の底部１８４に、又は底部１８４の近くに配置されて、ハウジング３８に接続され得るか、又はハウジング３８と一体であり得る、第１のピン１８２（ポスト）を含み得る。分配シャーシ１８は、分配シャーシ１８の底部１８４に、又は底部１８４の近くに配置されて、ハウジング３８に接続され得るか、又はハウジング３８と一体であり得、第１のピン１８２から離間し得る、第２のピン１８６（ポスト）を含み得る。
【００６５】
滑動機構１８０は、各分配シャーシ１８をガイドするための１つ以上のスロット又はチャネルを含み得る。例えば、滑動機構１８０は、分配シャーシ１８を少なくとも部分的にサポートするように第１の分配シャーシピン１８２に係着するための第１のスロット１８８と、分配シャーシ１８を少なくとも部分的にサポートするように第２の分配シャーシピン１８６に係着するための第２のスロット１９０と、を含み得る。第１のピン１８２及び／又は第２のピン１８６は、任意の丸い円筒形又は管状の構造であり得る。第１のピン１８２及び／又は第２のピン１８６は、第１及び第２のスロット１８８及び１９０内でスライドし得るように固定され得る。第１のピン１８２及び／又は第２のピン１８６は、第１及び第２のスロット１８８及び１９０内で回転し得るように回転し得る。第１及び第２のスロット１８８及び１９０は、第１及び第２のピン１８２及び１８４に係着するように構成され得る。滑動機構１８０は、分配する位置１７４（図１９）及び装填する位置１７２（図２０）で分配シャーシ１８をサポートし得る。滑動機構１８０はまた、分配する位置１７４と装填する位置１７２との間で分配シャーシ１８をサポート及びガイドし得る。滑動機構１８０はまた、装填する位置１７２にあるとき外側に傾斜するように分配シャーシ１８をガイドし得る。
【００６６】
第１のスロット１８８は、弓状の形状を含み得、分配シャーシ１８が分配する位置１７４から装填する位置１７２まで移動するような前方及び上向きの動きで第１のピン１８２をガイドし得る。分配シャーシ１８は、滑動機構１８０及び本体１２から取り出され得る。第１のスロット１８８は、器具シャーシ１８を滑動機構１８０から取り出すとき第１のピン１８２が第１のスロット１８８を避け得る、第１のスロット開口部１９２を有し得る。第２のスロット１９０は、弓状の形状を含み得、弓状及び前方の動きで第２のピン１８６をガイドし得る。第２のスロット１９０は、器具シャーシ１８を滑動機構１８０から取り出すとき第２のピン１８６が第２のスロット１９０を避け得る、第２のスロット開口部１９４を含み得る。
【００６７】
ピン１８２及び１８６並びに／又はスロット開口部１９２及び１９４は、ピン１８２及び１８６のうちの１つのみが、一度にスロット開口部１９２及び１９４を通じて取り出され得るように間隔をあけ得る。第１のスロット開口部１９２は、分配シャーシ１８が分配する位置１７４と装填する位置１７６との間にあるとき、第１のピン１８２が第１のスロット１８８から取り出され得るように、第１のスロット１８８に沿って間隔をあけ得る。ピン１８２及び１８６並びにスロット開口部１９２及び１９４は、分配シャーシ１８が分配する位置１７４及び装填する位置１７２にあるとき、スロット１８８及び１９０でピン１８２及び１８６を維持するように配置され得る。第２のスロット開口部１９４は、第１のピン１８２が第１のスロット１８８から最初に取り出されない限り、第２のピン１８６が第２のスロット１９０から取り出され得ないように、第２のスロット１９０に配置され得る。
【００６８】
第１のスロット１８８は、第１の端部１９８と、第２の端部２００と、を含み得、第１の端部１９８及び／又は第２の端部２００よりも相対的に高くあり得るクラウン２０２を有し得る。第１のピン１８２は、分配シャーシ１８が分配する位置１７４（図１９）にあるとき、第１のスロット１８８の第１の端部１９８に配置され得、分配シャーシ１８が装填する位置１７２（図２０）にあるとき、第１のスロット１８８の第２の端部２００に配置され得る。クラウン２０２は、第１のピン１８２がクラウン２０２のどちら側に配置されるかに応じて、第１の端部１９８又は第２の端部２００に向かって第１のピン１８２を偏倚させ得る。
【００６９】
第２のスロット１９０は、第１の端部２０４と、第２の端部２０６とを含み得、第１の端部２０４及び／又は第２の端部２０６よりも相対的に高くあり得るクラウン２０８を有し得る。第２のピン１８６は、分配シャーシ１８が分配する位置１７４（図１９）にあるとき、第２のスロット１９０の第１の端部２０４に配置され得、分配シャーシ１８が装填する位置１７２（図２０）にあるとき、クラウン２０８の第２の端部２０６側上に配置され得る。クラウン２０８は、第２のピン１８６がクラウン２０８の第１の端部側上にあるとき、第２のピン１８６を第１の端部２０４に向かって偏倚させ得、第２のピン１８６がクラウン２０８の第２の端部側上にあるとき、第２のピン１８６を第２の端部２０６に向かって偏倚させ得る。第１のスロットクラウン２０２及び第２のスロットクラウン２０８によって提供される偏倚は、分配する位置１７４及び装填する位置１７２に分配シャーシ１８を保持し得る。器具スタックゲージ５８は、分配シャーシ１８が重力の力の下で装填する位置１７２にあるとき（図２０）、装填された器具２０の途中から外に移動し得る。
【００７０】
図２１は、分配シャーシ１８の底面図を示す。分配シャーシ１８は、１つを超える第１のピン１８２を含み得、１つを超える第２のピン１８６を含み得る。図２２は、分配シャーシ１８なしの、滑動機構１８０を有する器具ディスペンサ１０の部分切取斜視図を示す。図２２で示される滑動機構１８０は、３つの分配シャーシ１８をサポートし得る。滑動機構１８０は、各分配シャーシ１８について、１つを超える第１のスロット１８８及び第２のスロット１９０を含み得る。第１のピン１８２は内側に延在し得、第１のピン１８２間に第１のピン空間部２１２を有し得る。第２のピン１８６は内側に延在し得、第２のピン１８６（図２１）間に第２のピン空間部２１４を有し得る。滑動機構１８０は、第１のスロット１８８と第２のスロット１９０との間で延在し得るスロットサポート２１６を含み得る。スロットサポート２１６は、分配シャーシ１８が器具ディスペンサ１０に取り付けられるとき、第１のピン空間部２１２及び第２のピン空間部２１４に延在し得る。
【００７１】
器具ディスペンサ１０は、分配シャーシインターロック２２０（図１９、図２０、及び図２２）を含み得る。分配シャーシインターロック２２０は、各々、第１の部分２２４及び第２の部分２２６を有し得る１つ以上のインターロックアーム２２２を含み得る。分配シャーシインターロック２２０は、本体１２又は滑動機構１８０に枢動可能に取り付けられ得、インターロックアーム２２２は、一緒に移動するように接続され得る。分配シャーシ１８のうちの１つが装填する位置１７２（図１８）に移動するとき、分配シャーシインターロック２２０は、分配する位置１７４で他の分配シャーシ１８をロックして、ベース１４の前方で過度の重量を有することにより器具ディスペンサ１０が前方に傾かないようにし得る。
【００７２】
器具ディスペンサ１０の本体１２での分配シャーシ１８の全てが分配する位置１７４にあるとき、分配シャーシインターロック２２０は、ロック解除位置２２８（図１９）にあり得、分配シャーシ１８のうちのいずれか１つは、装填する位置１７２に移動し得る。ロック解除位置２２８では、インターロックアーム２２２の第１の部分２２４は、相対的に上向きであり得、第２の部分２２６は、相対的に下向きであり得、インターロックアーム２２２は、分配シャーシ１８の移動を妨げない。分配シャーシ１８のうちの１つが装填する位置１７２に移動するとき、分配シャーシインターロック２２０はロック位置２３０（図２０）に移動し得、他の分配シャーシ１８は、分配する位置１７４でロックされ得る。ロック位置２３０では、インターロックアーム２２２の第１の部分２２４は、第１のピン１８２によって相対的に下向きに押され得、第２の部分２２６は、相対的に上向きに移動し得、残りの分配シャーシ１８の第２のピン１８６の移動を妨げ得る。分配シャーシ１８の分配する位置１７４に戻る移動は、分配シャーシインターロック２２０をロック解除位置２２８に戻し得る。
【００７３】
本開示の実施形態は更に、以下の段落のいずれか１つ以上に関する。
【００７４】
複数の器具を分配するための器具ディスペンサであって、ハウジングと、ハウジング内でフィットするように構成されている、分配シャーシと、分配シャーシの外表面上に配置された少なくとも１つのポストと、記ハウジング内に配置されており、かつハウジング内の分配シャーシポストに係着するように構成されている、少なくとも１つの滑動機構であって、滑動機構が、分配シャーシがハウジングから器具を分配するように構成されている、分配する位置と、分配シャーシが器具を装填されるように構成されている、装填する位置と、の間で、分配シャーシをガイドするように構成されている、スロットを備える、少なくとも１つの滑動機構と、を備える、器具ディスペンサ。
【００７５】
スロットが、ポストを受容するように構成されている開口部を備え、開口部を通じてスロットからポストを取り出すことにより、滑動機構から分配シャーシを分離する、前述の段落に記載の装置。
【００７６】
スロットでの開口部が、分配シャーシが分配する位置と装填する位置との間にあるとき、ポストがスロットから取り出されるだけであり得るように、スロットに配置されている、前述の段落のいずれか１つ以上に記載の装置。
【００７７】
分配シャーシが、第１及び第２のポストを備え、滑動機構が、第１及び第２のスロットを備え、第１のスロットが、第１のポストに係着するように構成されており、第２のスロットが、第２のポストに係着するように構成されている、前述の段落のいずれか１つ以上に記載の装置。
【００７８】
分配シャーシの第１及び第２のポストが、ローラーピンであり、第１及び第２のスロットが、第１及び第２のポストに係着するように構成されている、前述の段落のいずれか１つ以上に記載の装置。
【００７９】
第１のスロットが、第１のスロット開口部を備え、第２のスロットが、第２のスロット開口部を備え、第１のスロット開口部及び第２のスロット開口部が、第２のスロット開口部を通じて第２のスロットから第２のポストを取り出すのと同時に、第１のスロット開口部を通じて第１のスロットから第１のポストを取り出すことができないように構成されている、前述の段落のいずれか１つ以上に記載の装置。
【００８０】
スロットが、第１の端部と、第２の端部と、クラウンと、を備え、クラウンが、スロットの第１の端部又は第２の端部のいずれかに向かってポストを偏倚させるように構成されている、前述の段落のいずれか１つ以上に記載の装置。
【００８１】
スロットクラウンが、分配する位置で分配シャーシを保持するように構成されている、前述の段落のいずれか１つ以上に記載の装置。
【００８２】
スロットクラウンが、装填する位置で分配シャーシを保持するように構成されている、前述の段落のいずれか１つ以上に記載の装置。
【００８３】
第２のスロットが、第１の端部と、第２の端部と、クラウンと、を備え、クラウンが、第２のスロットの第１の端部又は第２のスロットの第２の端部に向かって第２のポストを偏倚させるように構成されている、前述の段落のいずれか１つ以上に記載の装置。
【００８４】
第２のスロットのクラウンが、分配する位置で分配シャーシを保持するように構成されている、前述の段落のいずれか１つ以上に記載の装置。
【００８５】
第２のスロットのクラウンが、装填する位置で分配シャーシを保持するように構成されている、前述の段落のいずれか１つ以上に記載の装置。
【００８６】
複数の器具を分配するための器具ディスペンサであって、ハウジングと、ハウジング内でフィットするように構成されている、分配シャーシと、分配シャーシの外表面上に配置された第１及び第２のポストと、ハウジング内に配置されており、かつハウジング内の第１及び第２のポストに係着するように構成されている、少なくとも１つの滑動機構と、を備え、滑動機構が、第１のスロット第１の端部と、第１のスロット第２の端部と、第１のスロットクラウンと、を備える、第１のスロットであって、第１のスロットが、第１のポストに係着するように構成されており、第１のスロットクラウンが、第１のスロット第１の端部又は第１のスロット第２の端部のいずれかに向かって第１のポストを偏倚させるように構成されている、第１のスロットと、第２のスロット第１の端部と、第２のスロット第２の端部と、第２のスロットクラウンと、を備える、第２のスロットであって、第２のスロットが、第２のポストに係着するように構成されており、第２のスロットクラウンが、第２のスロット第１の端部又は第２のスロット第２の端部のいずれかに向かって第２のポストを偏倚させるように構成されている、第２のスロットと、を備え、第１及び第２のスロットが、分配シャーシがハウジングから器具を分配するように構成されている、分配する位置と、分配シャーシが器具を装填されるように構成されている、装填する位置と、の間で分配シャーシをガイドするように構成されている、器具ディスペンサ。
【００８７】
第１及び第２のスロットクラウンが、分配する位置で分配シャーシを保持するように構成されている、前述の段落に記載の装置。
【００８８】
第１及び第２のスロットクラウンが、装填する位置で分配シャーシを保持するように構成されている、前述の段落のいずれか１つ以上に記載の装置。
【００８９】
第１のスロットが、第１のスロット開口部を備え、第２のスロットが、第２のスロット開口部を備え、第１のスロット開口部を通じて第１のスロットから第１のポストを取り出すこと、及び第２のスロット開口部を通じて第２のスロットから第２のポストを取り出すことにより、滑動機構から分配シャーシを分離する、前述の段落のいずれか１つ以上に記載の装置。
【００９０】
第１のスロット開口部が、分配シャーシが分配する位置と装填する位置との間にあるとき、第１のポストが第１のスロットから取り出されるだけであり得るように、第１のスロットに配置されている、前述の段落のいずれか１つ以上に記載の装置。
【００９１】
第１のスロット開口部及び第２のスロット開口部が、第２のスロット開口部を通じて第２のスロットから第２のポストを取り出すのと同時に、第１のスロット開口部を通じて第１のスロットから第１のポストを取り出すことができないように構成されている、前述の段落のいずれか１つ以上に記載の装置。
【００９２】
分配シャーシの第１及び第２のポストが、ローラーピンであり、第１及び第２のスロットが、第１及び第２のポストに係着するように構成されている、前述の段落のいずれか１つ以上に記載の装置。
【００９３】
少なくとも２つの器具を分配するように構成された器具ディスペンサであって、少なくとも２つの分配シャーシを備え、各分配シャーシが、器具のスタックを中に収容するように構成されたハウジングであって、器具のスタックが、ハウジングから分配される次の器具に加えて少なくとも１つの器具を備える、ハウジングと、ハウジング内に配置された少なくとも１つの概ね垂直なサポートレールであって、概ね垂直なサポートレールが、各器具の第１の部分を受容するように構成されており、第１の部分が、器具のスタックをスタックされた配向に維持するように、各器具から外側に延在する、輪郭形成された突出部を有する、少なくとも１つの概ね垂直なサポートレールと、ハウジングの内側に、かつ概ね垂直なサポートレールの下に配置された前方台座であって、次の器具の第１の部分に接触するように構成されている、前方台座と、ハウジングの内側に配置されており、かつ次の器具の第２の部分に接触するように構成されている、後方台座と、次の器具に接触し、かつ他の器具に接触しないように構成されている、駆動機構と、ハウジングに開口部を提供する、アクセスポートと、駆動機構に動作可能に接続されており、かつ駆動機構が器具のスタックでの次の器具に接触して、次の器具を押して、次の器具を器具のスタックから解放させて、解放された器具になるように、駆動機構を解放位置へ移動させるように構成されている、アクチュエータであって、解放された器具が、分配位置に落下し、かつ分配位置でディスペンサから取り出すためのアクセスポートを介してアクセス可能である、アクチュエータと、少なくとも部分的にハウジング内に配置されており、かつアクチュエータに動作可能に接続されて、解放位置から保持する位置まで駆動機構を戻す、ラチェットギア組立体と、分配シャーシの外表面上に配置された少なくとも１つのポストと、ハウジング内に配置されており、かつハウジング内のポストに係着するように構成されている、少なくとも１つの滑動機構であって、滑動機構が、ポストに接触して、分配シャーシがハウジングから器具を分配するように構成されている、分配する位置と、分配シャーシが器具を装填されるように構成されている、装填する位置と、の間で、分配シャーシをガイドするように構成されている、スロットを備える、少なくとも１つの滑動機構と、を備える、器具ディスペンサ。
【００９４】
特定の実施形態及び特徴が、数値上限値のセット及び数値下限値のセットを使用して説明されてきた。任意の２つの値の組み合わせを含む範囲、例えば、任意の上方の値との任意の下方の値の組み合わせ、任意の２つの下方の値の組み合わせ、及び／又は任意の２つの上方の値の組み合わせが、特に示されない限り想到されることを認識されたい。特定の下限値、上限値、及び範囲は、以下の１つ以上の特許請求の範囲で現れる。全ての数値が「約」又は「ほぼ」示された値であり、当業者によって予想されるであろう実験的誤差及び偏差を考慮に入れる。
【００９５】
様々な用語が上で定義されてきた。特許請求の範囲で使用される用語が上で定義されていない範囲で、それは、少なくとも１つの印刷物又は発行された特許で反映されるように当業者がその用語に与えている最も広い定義を与えられるべきである。更に、本出願で引用される全ての特許、試験手順、及び他の文書は、このような開示が本出願と矛盾しない範囲で、及びこのような組み込みが許可される全ての権限について、参照により完全に組み込まれる。
【００９６】
前述のことが本発明の実施形態の対象であるが、本発明の他の更なる実施形態が、その基本的な範囲から逸脱することなく考え出され得、その範囲は、以下の特許請求の範囲によって決定される。
【図１】
2021511929.tif 000003
【図２】
2021511929.tif 000004
【図３Ａ】
2021511929.tif 000005
【図３Ｂ】
2021511929.tif 000006
【図３Ｃ】
2021511929.tif 000007
【図４】
2021511929.tif 000008
【図５】
2021511929.tif 000009
【図６】
2021511929.tif 000010
【図７】
2021511929.tif 000011
【図８】
2021511929.tif 000012
【図９】
2021511929.tif 000013
【図１０】
2021511929.tif 000014
【図１１】
2021511929.tif 000015
【図１２】
2021511929.tif 000016
【図１３】
2021511929.tif 000017
【図１４】
2021511929.tif 000018
【図１５】
2021511929.tif 000019
【図１６】
2021511929.tif 000020
【図１７】
2021511929.tif 000021
【図１８】
2021511929.tif 000022
【図１９】
2021511929.tif 000023
【図２０】
2021511929.tif 000024
【図２１】
2021511929.tif 000025
【図２２】
2021511929.tif 000026
【国際調査報告】
2021511929.tif 000027
2021511929.tif 000028